(57)【特許請求の範囲】
【請求項１】
携帯型電話機と、
前記携帯型電話機に情報を提供する情報提供サーバと、
前記情報提供サーバとインターネットを介して接続された印刷装置と、を含んでなる印刷システムであって、
前記携帯型電話機が、
前記情報提供サーバに対して印刷要求を行う印刷要求手段と、
前記印刷装置にアクセスして該印刷装置のアドレスを取得するアドレス取得手段と、
前記アドレス取得手段が取得したアドレスを、前記情報提供サーバへ送信するアドレス送信手段とを備え、
前記情報提供サーバが、
前記携帯型電話機からの印刷要求を受け付ける印刷要求受付手段と、
前記アドレス送信手段が送信したアドレスを受信するアドレス受信手段と、
前記印刷要求受付手段が印刷要求を受け付けると、該印刷要求に対応した情報を出力可能なファイル形式の印刷ファイルに変換し、前記アドレス受信手段が受信した前記アドレスの印刷装置へ該印刷ファイルを送信する印刷ファイル送信手段とを備え、
前記印刷装置が、
前記印刷ファイル送信手段より前記印刷ファイルを受信すると、パスワードを作成し、該パスワードと受信した前記印刷ファイルとを対応づけて保管すると共に、該パスワードを前記情報提供サーバへ送信するパスワード作成送信手段を備え、
前記情報提供サーバは、前記パスワード作成送信手段から送信されてきた前記パスワードを前記携帯型電話機へ送信し、
前記印刷装置は、入力されたパスワードが、前記パスワード作成送信手段が保管したパスワードと一致した場合には、該パスワードに対応づけて保管した前記印刷ファイルを印刷することを特徴とする印刷システム。
【請求項２】
前記携帯型電話機は、
前記印刷装置のアドレスを無線インターフェースを介して取得し、前記パスワードを、無線インターフェースを介して前記印刷装置に送信することを特徴とする請求項１に記載の印刷システム。
【請求項３】
携帯型電話機に情報を提供する情報提供サーバと、
前記情報提供サーバとインターネットを介して接続された印刷装置と、を含んでなる印刷システムであって、
前記情報提供サーバが、
前記携帯型電話機からの印刷要求を受け付ける印刷要求受付手段と、
前記携帯型電話機から前記印刷装置のアドレスを受信するアドレス受信手段と、
前記印刷要求受付手段が印刷要求を受け付けると、該印刷要求に対応した情報を出力可能なファイル形式の印刷ファイルに変換し、前記アドレス受信手段が受信したアドレスの印刷装置へ該印刷ファイルを送信する印刷ファイル送信手段とを備え、
前記印刷装置が、
前記携帯型電話機からのアクセスを受け付けて、自端末のアドレスを応答するアドレス応答手段と、
前記印刷ファイル送信手段より前記印刷ファイルを受信すると、パスワードを作成し、該パスワードと受信した前記印刷ファイルとを対応づけて保管すると共に、該パスワードを前記情報提供サーバへ送信するパスワード作成送信手段とを備え、
前記情報提供サーバは、前記パスワード作成送信手段より受信した前記パスワードを前記携帯型電話機へ送信し、
前記印刷装置は、入力されたパスワードが、前記パスワード作成送信手段が保管したパスワードと一致した場合には、該パスワードに対応づけて保管した前記印刷ファイルを印刷することを特徴とする印刷システム。
【請求項４】
請求項１乃至３のいずれか一項に記載の印刷システムを用いた印刷出力課金システムであって、
前記携帯型電話機のユーザに対して、前記情報の前記印刷装置による印刷出力について課金することを特徴とする印刷出力課金システム。
【発明の詳細な説明】
【０００１】
【発明の属する技術分野】
本発明は、携帯型電話機が情報提供サーバから閲覧可能な情報等を、インターネットに接続された印刷装置により印刷出力する印刷システムおよび印刷出力についての課金に適した印刷出力課金システムに関する。
【０００２】
【従来の技術】
携帯型電話機ユーザは、当該携帯型電話機を用いてインターネットに接続された情報提供サーバにアクセスして、地図、各種電池チケット、電子クーポン等、さまざまな情報を取得することができる。携帯型電話機ユーザが取得した情報は、当該携帯型電話機のメモリに保存しておき、必要なときにディスプレイに呼び出すことができる。また、携帯型電話機に保存したデータをコンピュータ等のアプリケーションサーバにメール転送し、アプリケーションサーバは当該メールを印刷出力することも行われている。
【０００３】
たとえば、特開平２０００−３３９２３７号公報記載の技術においては、アプリケーションサーバは、メールをプリンタアダプタにより印刷データに変換してプリンタに送信しプリンタは受信した印刷データのプリントを行っている。
【０００４】
【発明が解決しようとする課題】
しかし、携帯型電話機ユーザが、情報提供サーバから取得する情報の情報量が大きい場合には、当該情報が携帯型電話機のディスプレイには一過的に表示されるものの、携帯型電話機内蔵のメモリに保存することはできない（すなわち、メモリからあふれてしまう）場合がある。このような場合には、コンピュータ等のアプリケーションサーバに、取得した情報を送信したとしても、一部の情報しか印刷できないという問題がある。
【０００５】
また、従来、携帯型電話機ユーザが、外出中に情報提供サーバにアクセスした場合において、携帯型電話機のディスプレイが小さいために、提供情報をプリントしたい場合には、即時プリントを行うことができない。もちろん、小型プリンタを常に携帯していれば、印刷は可能であるが、この種のプリンタは小型・軽量とは言えず携帯には適さないがの現状である。
【０００６】
本発明の目的は、携帯型電話機が情報提供サーバから閲覧可能な情報等を、インターネットに接続された印刷装置により印刷出力することができる印刷システムを提供することにある。
本発明の他の目的は、印刷出力についての課金に適した印刷出力課金システムを提供することにある。
【０００７】
本発明の印刷システムは、携帯型電話機と、上記携帯型電話機に情報を提供する情報提供サーバと、上記情報提供サーバとインターネットを介して接続された印刷装置と、を含んでなる印刷システムであって、上記携帯型電話機が、上記情報提供サーバに対して印刷要求を行う印刷要求手段と、上記印刷装置にアクセスして該印刷装置のアドレスを取得するアドレス取得手段と、上記アドレス取得手段が取得したアドレスを、上記情報提供サーバへ送信するアドレス送信手段とを備え、上記情報提供サーバが、上記携帯型電話機からの印刷要求を受け付ける印刷要求受付手段と、上記アドレス送信手段が送信したアドレスを受信するアドレス受信手段と、上記印刷要求受付手段が印刷要求を受け付けると、該印刷要求に対応した情報を出力可能なファイル形式の印刷ファイルに変換し、上記アドレス受信手段が受信した上記アドレスの印刷装置へ該印刷ファイルを送信する印刷ファイル送信手段とを備え、上記印刷装置が、上記印刷ファイル送信手段より上記印刷ファイルを受信すると、パスワードを作成し、該パスワードと受信した上記印刷ファイルとを対応づけて保管すると共に、該パスワードを上記情報提供サーバへ送信するパスワード作成送信手段を備え、上記情報提供サーバは、上記パスワード作成送信手段から送信されてきた上記パスワードを上記携帯型電話機へ送信し、上記印刷装置は、入力されたパスワードが、上記パスワード作成送信手段が保管したパスワードと一致した場合には、該パスワードに対応づけて保管した上記印刷ファイルを印刷するようにしたものである。
【０００８】
上記携帯型電話機は、上記印刷装置のアドレスを無線インターフェースを介して取得し、上記パスワードを、無線インターフェースを介して上記印刷装置に入力させるとよい。
【０００９】
また、本発明の他の印刷システムは、携帯型電話機に情報を提供する情報提供サーバと、上記情報提供サーバとインターネットを介して接続された印刷装置と、を含んでなる印刷システムであって、上記情報提供サーバが、上記携帯型電話機からの印刷要求を受け付ける印刷要求受付手段と、上記携帯型電話機から上記印刷装置のアドレスを受信するアドレス受信手段と、上記印刷要求受付手段が印刷要求を受け付けると、該印刷要求に対応した情報を出力可能なファイル形式の印刷ファイルに変換し、上記アドレス受信手段が受信したアドレスの印刷装置へ該印刷ファイルを送信する印刷ファイル送信手段とを備え、上記印刷装置が、上記携帯型電話機からのアクセスを受付けて、自端末のアドレスを応答するアドレス応答手段と、上記印刷ファイル送信手段より上記印刷ファイルを受信すると、パスワードを作成し、該パスワードと受信した上記印刷ファイルとを対応づけて保管すると共に、該パスワードを上記情報提供サーバへ送信するパスワード作成送信手段とを備え、上記情報提供サーバは、上記パスワード作成送信手段より受信した上記パスワードを上記携帯型電話機へ送信し、上記印刷装置は、入力されたパスワードが、上記パスワード作成送信手段が保管したパスワードと一致した場合には、該パスワードに対応づけて保管した上記印刷ファイルを印刷するようにしたものである。
【００１０】
また、本発明の印刷出力課金システムは、上述した印刷システムを用いた印刷出力課金システムであって、上記携帯型電話機のユーザに対して、上記情報の上記印刷装置による印刷出力について課金するようにしたものである。
【００１６】
【発明の実施の形態】
図１は本発明の印刷システムの一実施形態を示す概略図である。図１では、印刷システム１は、インターネットファクシミリ装置１０１と、携帯型電話機１０２と、携帯型電話通信システム１０３と、情報提供サーバ１０４とにより構成されている。
【００１７】
インターネットファクシミリ装置１０１は、インターネット１００と接続されている。「インターネットファクシミリ装置」とは、電子メールの送受信可能なネットワーク対応のファクシミリ装置である。インターネットへの接続方法は多種多様である。たとえば、ダイヤルアップ接続型のインターネットファクシミリ装置では、月あたり定額料金のプロバイダに接続して常時接続することもあるし、ＬＡＮ接続型のインターネットファクシミリ装置では、専用線でＬＡＮ接続することもある。
【００１８】
携帯型電話機１０２は、携帯型電話通信システム１０３を介して通常の通話を行うことができる他、情報提供サーバ１０４に接続することができる。なお、携帯型電話機１０２とインターネットファクシミリ装置１０１とは、Ｂｌｕｅｔｏｏｔｈ等の無線インターフェースを介してデータの送受信ができる。
【００１９】
携帯型電話通信システム１０３は、多数の基地局１０３１と、ゲートウェイ１０３２とを含み、これらは携帯型電話回線網１０３３により相互接続されている。情報提供サーバ１０４は、インターネット１００上に開設された、各種サービス提供用のＷＥＢサイト（アプリケーションサービスプロバイダ）である。本実施形態では、情報提供サーバ１０４は、ユーザの要求に応じてインターネット１００上のインターネットファクシミリ装置（または、これに準ずる印刷機能付きの装置）に対して印刷要求された情報を送信することができる。
【００２０】
なお、図１では情報提供サーバ１０４はインターネット１００に接続されているが、インターネット１００に接続されていない携帯型電話網内の情報サイトであってもよい。
また、情報提供サーバは、携帯型電話機のディスプレイに画像情報を提供するための手段、携帯型電話機からの指示情報（たとえば、次ページロード指示コード，メニュー選択指示コード）を受け取る手段、たとえば印刷装置に対する画情報の送信手段、当該画情報を印刷装置に印刷させる指示情報発行手段なども備える。ここで、画像情報は、文字，図，写真等の視覚情報を意味する。
また、本発明において、携帯型電話機とは、いわゆる「携帯電話」、「ＰＨＳ」を含み、印刷装置には、インターネットファクシミリ装置等、インターネットに接続されたアドレスを持つプリンタ機能付き装置を含む。
また、無線インターフェースとして、上述したようにＢｌｕｅｔｏｏｔｈ（Ｂｌｕｅｔｏｏｔｈ  Ｓｐｅｃｉａｌ  Ｉｎｔｅｒｅｓｔ  Ｇｒｏｕｐ  （ＳＩＧ）により開発研究されている通信規格）を採用できる。これにより、携帯型電話機のユーザの近傍にあるインターネットファクシミリ装置のメールアドレスを取得して、当該アドレスを前記情報提供サーバに手入力することなく送信することができる。また、情報提供サーバから取得したパスワードを携帯型電話機のユーザの近傍にある印刷装置に手入力することなく送信することができる。
【００２１】
図２により、図１の印刷システム１の全体のシーケンスの一例を時系列に沿って説明する。まず、ユーザが携帯型電話機１０２を利用してインターネット１００上の情報提供サーバ１０４にアクセスし、適宜の情報の閲覧をしたものとする（Ｆ１０１）。携帯型電話機１０２と情報提供サーバ１０４との情報の送受信はパケットにより行われる。
【００２２】
情報提供サーバ１０４は、携帯型電話機１０２から（すなわちユーザから）のアクセスがあると、携帯型電話機１０２のディスプレイにプリントメニューを表示させることができる（図３（Ａ））。このプリントメニューは、常時表示するようにもできるし、特定の情報（たとえば、大容量の情報）が表示されたときにのみ表示するようにもできる。プリントメニューは、ソフトボタンとしてもよい。この場合、たとえばシーソーキーを操作することにより項目を選択できるようにしてもよい。また、プリントメニューは、テンキーにより番号指定できるようにしてもよく、テンキー以外のキーに割り当てられたキーにより指定できるようにしてもよい。
【００２３】
図２では、携帯型電話機１０２のユーザが、印刷要求の操作を行うと、印刷要求情報が、ゲートウェイ１０３２を介して情報提供サーバ１０４に送信される（Ｆ１０２）。情報提供サーバ１０４は、印刷要求情報を受け取ると、携帯型電話機１０２のディスプレイにインターネットファクシミリ装置のアドレス入力メニューを表示させる。このメニューでは、ブルートゥース等の無線インターフェースによる自動アドレス取得の操作をすることにより（図３（Ｂ）参照）、近在のインターネットファクシミリ装置１０１のアドレスを取得することができる（Ｆ１０３）。もちろん、ユーザが直接インターネットファクシミリ装置１０１のアドレスを入力することもできる（図３（Ｃ）参照）。
【００２４】
これにより、インターネットファクシミリ装置１００のアドレスが、情報提供サーバ１０４に送信される（Ｆ１０４）。携帯型電話機１０２は、無線インターフェースを介してインターネットファクシミリ装置１０１のアドレスを取得しなくても、たとえば予め携帯型電話機に登録されている電話番号を呼び出してこれを情報提供サーバ１０４に送信してもよい。また、携帯型電話機１０２が存在する場所の情報（たとえば、駅名、店舗番号、住所）を情報提供サーバ１０４に送り、情報提供サーバ１０４が近在のインターネットファクシミリ装置１０１の設置場所を検索し、当該設置場所情報（地図等の情報）を携帯型電話機１０２に送信するようにしてもよい。この場合にも、携帯型電話機１０２のユーザが、当該設定場所情報を指定する（たとえば、インターネットファクシミリ装置１０１が設置してある店舗を指定する）ことでインターネットファクシミリ装置１０１が特定される。この場合には、携帯型電話機１０２は、インターネットファクシミリ装置１０１のアドレスを情報提供サーバには送信しない。
【００２５】
情報提供サーバ１０４は、印刷要求情報を受け取ると、当該印刷要求情報に基づき、印刷要求された情報をインターネットファクシミリ装置１０１が出力可能なファイル形式に変換してインターネットファクシミリ装置１０１にメール送信する（Ｆ１０５）。
【００２６】
情報提供サーバ１０４はデータベースを備えており、このデータベースには各店舗に設置されたインターネットファクシミリ装置１０１の情報（アドレス、所在地、プリントできる画ファイルのプリント可能な形式等）が登録されている。たとえば各店舗のコンピュータは、管理者用に用意された登録サイトに接続することができ、ここにインターネットファクシミリ装置１０１の各種情報を予め登録しておく。
【００２７】
情報提供サーバ１０４は、ユーザからの印刷要求があった場合、予め登録されているアドレス以外のアドレスの指定があったときには、ユーザにエラーメールを返す。また、情報提供サーバ１０４は、印刷要求された情報のファイル形式を変換してその都度印刷データを作成してもよいが、より高画質のデータ、かつ印刷に適したデータを予め用意しておきインターネットファクシミリ装置１０１にメール送信するようにしてもよい。
【００２８】
インターネットファクシミリ装置１０１は、印刷情報を含んだメールを情報提供サーバ１０４から受信すると、印刷情報を展開してこれを一旦メモリに格納する。この展開情報は、画情報または展開前のメール情報が含まれる。印刷情報を含んだメールの識別は、たとえばメールのＳｕｂｊｅｃｔ部に書きこまれる「Ｐｒｉｎｔ  Ｒｅｑｕｅｓｔ」等のキーワードを抽出することにより行う。
【００２９】
インターネットファクシミリ装置１０１は、ランダムにパスワードを作成して印刷情報とともにメモリに格納しておく。インターネットファクシミリ装置１０１は、作成したパスワードを情報提供サーバ１０４に送信する（Ｆ１０６）。
【００３０】
このとき、インターネットファクシミリ装置１０１は、印刷情報として受信したメールの返信メールとしてパスワードを送信することにより、情報提供サーバ１０４に印刷情報とパスワードの対応を知らせる。たとえば、「Ｒｅ：Ｐｒｉｎｔ  Ｒｅｑｅｓｔ：ｘｘｘｘ」というＳＵＢＪＥＣＴ部を持つメールで返信する。インターネットファクシミリ装置１０１は、次の印刷情報メールを受信するか、ユーザによるパスワードの入力があるまで待機状態となる。
【００３１】
情報提供サーバ１０１は、パスワードを含んだ返信メールをインターネットファクシミリ装置１０１から受信したことにより、インターネットファクシミリ装置が正常に動作しているか否かを確認できる。インターネットファクシミリ装置１０１が正常に動作しているときは、受信した返信メールに対応するユーザの携帯型電話機１０２にパスワードが記載されたメールを転送する（Ｆ１０７）。
【００３２】
情報提供サーバ１０４は、インターネットファクシミリ装置１０１から、前述したエラーメールを受信した場合には、ユーザの携帯型電話機１０２にインターネットファクシミリ装置１０１が印刷不可能である旨のメールを送信する。パスワードを含んだメールを携帯型電話機１０２により受信したユーザは、無線インターフェースによるか、または手入力によりインターネットファクシミリ装置１０１にパスワードを入力する（Ｆ１０８）。
【００３３】
インターネットファクシミリ装置１０１は、パスワードが正しい場合には、印刷要求された情報を印刷出力する（Ｆ１０９）。印刷終了後、インターネットファクシミリ装置１０１のディスプレイに課金情報を表示する。さらに、情報提供サーバ１０４に課金情報が記載されたメールを送信する（Ｆ１１０）。情報提供サーバ１０４は、ユーザごとに課金情報を蓄積し、別途ユーザに利用料金の支払を請求する（Ｆ１１１）。情報提供サーバ１０４は、通信事業者と提携して携帯型電話機１０２の通信使用料金と同時にインターネットファクシミリ装置１０１の使用料金を請求するようにしてもよいし、クレジットカード会社と提携してカードの使用料金の銀行口座等からの引き落しの形態で請求するようにしてもよい。
【００３４】
図３（Ａ）〜（Ｃ）は、携帯型電話機１０２のディスプレイＤに表示される画面例を示している。ユーザが、印刷出力したい情報を画面に表示した状態で、印刷メニュー（図３（Ａ）では「印刷」の表示）から印刷を指示する。
ディスプレイＤの画面が、印刷指示した情報を印刷出力させたいインターネットファクシミリ装置１０１のアドレスの入力形態を示す画面に切り替わる（図３（Ｂ））。
【００３５】
図３（Ｂ）において、「直接入力」を選んだ場合には、入力欄を含む画面（図３（Ｃ））に切り替わり、直接アドレスの入力をユーザに促す。図示はしないが、「リストから選択」を選ぶと、たとえば所在住所からたどって（たとえば、都道府県→行政区→町等の順にたどって）、指定したいインターネットファクシミリ装置１０１を選択する画面（たとえば、ＸＸ駅中央口前ＹＹ店内，ＺＺ駅南口構内）に切り替わる。インターネットファクシミリ装置が選択されると、そのアドレスが入力欄に表示される。同じく図示はしないが、「ブルートゥースで取得」を選ぶと、最寄のインターネットファクシミリ装置をサーチして自動的にリンクを確立してアドレスを取得し、当該アドレスがアドレス欄に記入される。
【００３６】
図４に情報提供サーバ１０４における処理の流れを示す。情報提供サーバ１０４は、ユーザの携帯型電話機１０２から送信される印刷要求（すなわち、図３（Ａ）における「印刷」の選択による印刷要求）を待っており（Ｓ１０１）、印刷要求を受信したときは、インターネットファクシミリ装置のアドレスの入力方法を選択する画面（図３（Ｂ）参照）の表示情報、当該アドレスの入力画面（図３（Ｃ）参照）の表示情報を、携帯型電話機１０２に送信し、これらを携帯型電話機１０２のディスプレイに表示させる（Ｓ１０２）。そして、携帯型電話機１０２からインターネットファクシミリ装置のアドレスの入力を待つ（Ｓ１０３）。
【００３７】
インターネットファクシミリ装置のアドレスを受信すると、印刷要求された情報について印刷出力用に予め用意した画情報があるか否かを確認し（Ｓ１０４）、当該印刷出力用の画情報がある場合には、予め用意してある印刷に適した画情報をメモリから読み出し（Ｓ１０５）、当該画情報を含んだ電子メール（たとえば、画情報を添付ファイルとする）を作成し、指定されたインターネットファクシミリ装置にメール送信を行う（Ｓ１０７）。なお、印刷に適した画情報とは、高密度であること、用紙サイズに適合していいること、インターネットファクシミリ装置による受信および印刷出力が可能なフォーマットであること等の要件を満たす画情報である。
【００３８】
Ｓ１０４において、印刷要求された情報について印刷出力用に予め用意した画情報がない場合には、携帯型電話機に表示している画情報を、インターネットファクシミリ装置による受信および印刷出力が可能なフォーマットに変換し（Ｓ１０６）、指定されたインターネットファクシミリ装置にメール送信を行う（Ｓ１０７）。
【００３９】
図５にインターネットファクシミリ装置１０１が情報提供サーバ１０４から印刷情報をメールで受信する際の処理の流れを示す。
【００４０】
インターネットファクシミリ装置１０１は予め指定されたユーザからのメールを待っており（Ｓ２０１）、メールを受信したときは、当該メールが予め指定された情報提供サーバ１０４からのメールか否かを確認し（Ｓ２０２）、受信メールが予め指定された情報提供サーバからのメールである場合には印刷情報（受信メールそのもの、または受信メールから抽出したＴＩＦＦファイルなどの画情報）をメモリに蓄積する（Ｓ２０３）。Ｓ２０２において、受信メールが予め指定された情報提供サーバからのメールでない場合にはＳ２０１に戻る。このとき、図５には示していないがメールを破棄してもよい。
【００４１】
上記したＳ２０２は、指定されたアドレスからのメールのみを印刷出力するための確認（フィルタリング）ステップである。このステップにより、インターネットファクシミリ装置１０１の第三者による不正使用を防ぐことができる。ただし、本実施形態を、一般に公開して不特定多数の情報提供サーバ１０４からの印刷出力を許可するシステムにまで拡大する場合には、送信元によってフィルタリングすることは現実的でないため、Ｓ１０５は省略される。
【００４２】
次に、インターネットファクシミリ装置１０１は、メモリに蓄積された印刷情報を印刷出力するために、必要なパスワードをランダムに作成し、これを、蓄積した印刷情報と対応付けてメモリに蓄積する（Ｓ２０５）。そして、パスワードを含んだメール（たとえば、本体（ＢＯＤＹ）にパスワードが記載されたメール）を、情報提供サーバ１０４に送信する（Ｓ２０６）。
【００４３】
パスワードを含んだメールは、情報提供サーバ１０４からユーザに転送される。情報提供サーバ１０４を経由することで、情報提供サーバ１０４は、インターネットファクシミリ装置が正常に動作しているかを知ることができる。別の方法でインターネットファクシミリ装置１０１の状態を監視している場合（たとえば、エラー時のみ情報提供者に通知する方法や定期診断する場合）は、パスワードを含むメールをユーザに直接送信してもよい。
【００４４】
図６に、インターネットファクシミリ装置１０１における印刷処理の流れを示す。インターネットファクシミリ装置１０１は、ユーザからのパスワードの入力を待っており（Ｓ３０１）、当該入力があるとパスワードが正しいか否かを確認する（Ｓ３０２）。Ｓ３０１で、ユーザからのパスワードの入力がないときはパスワードの入力を待つ。また、Ｓ３０２で、パスワードが正しくないときはＳ３０１に戻る。
【００４５】
パスワードは、ユーザがインターネットファクシミリ装置１０１の操作部から入力するか、ブルートゥース等の無線インターフェースを使用して入力する。無線インターフェースから入力する場合には、同時に複数のユーザからの入力が行われないように、操作部のボタン操作と併用して入力操作が完了するような手順とすることが望ましい。また、印刷出力が完全に終了するまで他のパスワードが入力されないような制御とすることが望ましい。
【００４６】
ユーザの携帯型電話機１０２からブルートゥースを使ってパスワードを入力する方法は種々あり特定の方法には限定されないが、たとえばメール本体に書き込まれているパスワード部分を選択するだけで、自動的にブルートゥースを使ってインターネットファクシミリ装置１０１にパスワードが転送されるしくみが望ましい。
【００４７】
Ｓ３０２では、入力されたパスワードとメモリに格納しているパスワードとを照合し、メモリに格納されているパスワードに合致するものがなければ、上述したように処理をＳ３０１に戻す。合致するものがあれば、他のパスワードの入力を禁止し（Ｓ３０３）、入力されたパスワードに対応付けて蓄積されている印刷情報を印刷出力する（Ｓ３０４）。この場合、図示はしていないが、印刷情報は、印刷出力を終了したときはメモリから削除する。この後、パスワードの入力を許可し、ステップＳ３０１に処理を戻す。
【００４８】
【発明の効果】
以上のような本発明の印刷システムでは、携帯型電話機が情報提供サーバから閲覧可能な情報等を、インターネットに接続された印刷装置により印刷出力することができるとともに、印刷される前記情報に対応した個別のパスワードを印刷装置に入力するまで印刷出力がなされないので、ユーザは、印刷装置から印刷出力された書類等を他のユーザの印刷指示にかかる印刷書類と混同するといった不都合は生じず、確実に書類等を得ることができるという効果を得る。また、印刷要求にかかる情報が画像等、情報量が大きくなっても、ネットワークのトラフィックが増大したり通信時間が長くなったりする不都合を生じないという効果も得る。
【００４９】
また、本発明の印刷出力課金システムでは、携帯型電話機から印刷装置に、印刷要求にかかる情報を送信することはせず、当該情報は情報提供サーバから印刷装置に送られるように構成した。したがって、情報提供サーバは、課金の管理を効率良く行うことができ、また前述したパスワードの照合を行うことで、携帯型電話機のユーザに対して適正に課金することができる。
【図面の簡単な説明】
【図１】本発明の印刷システムの一実施形態を示す概略図である。
【図２】図１の印刷システムの全体のシーケンスの一例を示す時系列説明図である。
【図３】携帯型電話機のディスプレイに表示される画面例を示す図であり（Ａ）は印刷メニュー、（Ｂ）はアドレスの入力形態を示す画面、（Ｃ）は入力欄を含む画面を示す図である。
【図４】情報提供サーバにおける処理の流れを示す図である。
【図５】インターネットファクシミリ装置が情報提供サーバから印刷情報をメールで受信する際の処理の流れを示す図である。
【図６】インターネットファクシミリ装置における印刷処理の流れを示す図である。
【符号の説明】
１  印刷システム
１００  インターネット
１０１  インターネットファクシミリ装置
１０２  携帯型電話機
１０３  携帯型電話通信システム
１０４  情報提供サーバ
１０３１  基地局
１０３２  ゲートウェイ
１０３３  携帯型電話回線網
【図１】
0004437634.tif 000002
【図２】
0004437634.tif 000003
【図３】
0004437634.tif 000004
【図４】
0004437634.tif 000005
【図５】
0004437634.tif 000006
【図６】
0004437634.tif 000007